(57)【要約】      （修正有）【課題】ホルダから固定用螺子を完全に取り外さなくてもチップの交換が可能であり、また、チップポケットの裏側から固定用螺子を締めたり、緩めたりすることができ、切屑の排出性に優れるスローアウェイ式切削工具を提供する。【解決手段】ホルダ１の先端に設けたチップポケット５の載置面に、螺子孔１２ａを備えた雌螺子駒１２を設けた着座面を有するスローアウェイチップ７を載置するとともに、前記チップポケットの載置面に対する裏側の表面から前記載置面へ向けて設けた固定用螺子１６の先端部位を、前記雌螺子駒の螺子孔に螺着せしめて、前記ホルダに前記スローアウェイチップを固定できるようにした。【選択図】図１
2004255510.tif 000002
【特許請求の範囲】
【請求項１】
ホルダの先端に設けたチップポケットの載置面に、螺子孔を備えた雌螺子駒を設けた着座面を有するスローアウェイチップを載置するとともに、前記チップポケットの載置面に対する裏側の表面から前記載置面へ向けて設けた固定用螺子の先端部位を、前記雌螺子駒の螺子孔に螺着せしめて、前記ホルダに前記スローアウェイチップを固定できるようにしたことを特徴とするスローアウェイ式切削工具。
【請求項２】
前記スローアウェイチップは、前記雌螺子駒を着脱自在に装着するための保持ポケットを備えるとともに、該保持ポケットに、前記着座面から離れる方向に開いた形状をなし、かつ前記雌螺子駒を保持するための係合面を設けたことを特徴とする請求項１記載のスローアウェイ式切削工具。
【発明の詳細な説明】
【０００１】
【発明の属する技術分野】
本発明は、ホルダの先端にチップポケットを設け、該チップポケットの載置面にスローアウェイチップの着座面を載置し、固定用螺子等の手段により前記スローアウェイチップを固定するスローアウェイ式切削工具に関するものであり、特に、棒材、パイプ材等の小物部品を対象とする小物加工の突切り加工に適したスローアウェイ式切削工具に関するものである。
【０００２】
【従来の技術】
従来、棒材、パイプ材等小物部品の突切り加工に用いられるスローアウェイ式切削工具としては、ホルダにスローアウェイチップをねじ止めして固定する構成の工具が一般に知られている。
【０００３】
図６は、このような構成の工具の一例である。図６において、チップ中央部３０に幅方向の貫通孔３１が設けられており、この貫通孔３１に差し込まれた固定用螺子３２をホルダ３３に締め付けることによって、チップ３４がホルダ３３に固定される構成となっている（特許文献１参照）。しかし、このような工具では、チップを交換するたびにホルダから固定用螺子を完全に取り外さなければならず、交換作業に時間を要する上、作業中に固定用螺子を落下させてしまうなどの問題があった。さらに、小物加工で広く用いられている、櫛刃型刃物台を有する小型自動旋盤に取り付けて使用する場合には、操作しにくい方向からチップ交換しなければならず、作業性が著しく低下するという問題があった。
【０００４】
このような問題点を改善するための手段として、図７のように、固定用螺子４０を緩めるだけでチップ交換できる構成が開示されている（特許文献２参照）。図６において、チップ４１の側面に凹部４２が設けられ、その凹部４２にボルト頭部４３を係合させ、チップ４１を固定用螺子４０とホルダ４４との間に挟み込んで固定する構成となっている。このような構成とすることにより、チップ交換のたびに固定用螺子を取り外す必要はなくなり、作業性が改善される。
【０００５】
〔特許文献１〕
特開平１１−１２３６０３号公報
〔特許文献２〕
特開２０００−６１７１３号公報
【０００６】
【発明が解決しようとする課題】
しかし、上記のような構成とした場合、チップを挟持するためのねじの取り付け位置を、チップすくい面より上方に突出させて設ける必要がある。そのため、切削加工中においては、その突出部が切り屑の流れを阻害し、速やかに排出されなかった切り屑が被削材に当って、製品の品位を損なうといった新たな問題が生じてくる。また、ねじ保持部も切り屑によって損傷をうけるため、頻繁な部品交換が必要となる。
【０００７】
かかる課題に鑑み、本発明は、ホルダから固定用螺子を完全に取り外さなくてもチップの交換が可能であり、また、チップポケットの裏側から固定用螺子を締めたり、緩めたりすることができ、さらに切屑の排出性に優れるという点をすべて兼ね備えたスローアウェイ式切削工具を提供することを目的とする。
【０００８】
【課題を解決するための手段】
前記課題を解決するため請求項１のスローアウェイ式切削工具は、ホルダの先端に設けたチップポケットの載置面に、螺子孔を備えた雌螺子駒を設けた着座面を有するスローアウェイチップを載置するとともに、前記チップポケットの載置面に対する裏側の表面から前記載置面へ向けて設けた固定用螺子の先端部位を、前記雌螺子駒の螺子孔に螺着せしめて、前記ホルダに前記スローアウェイチップを固定できるようにしたことを特徴とする。
【０００９】
請求項２のスローアウェイ式切削工具は、前記スローアウェイチップは、前記雌螺子駒を着脱自在に装着するための保持ポケットを備えるとともに、該保持ポケットに、前記着座面から離れる方向に開いた形状をなし、かつ前記雌螺子駒を保持するための係合面を設けたことを特徴とする。
【００１０】
請求項１の構成によれば、固定用螺子を取り外しすることなくチップ交換ができる。また、ホルダの上側に切屑の流れを阻害する部位を設けなくても良いので、切り屑の排出が円滑で、かつホルダが切り屑による損傷を受けることが少ない。したがって、部品交換を頻繁に行う必要がなく、経済的である。さらに、スローアウェイチップの交換に際して、チップポケットの裏側から固定用螺子を締めたり、緩めたりすることができるので、櫛刃型刃物台を有する小型自動旋盤に取り付けて使用した場合でも作業性を損なうことがない。
【００１１】
また、請求項２の構成によれば、固定用螺子の先端部位と雌螺子駒の螺子孔とを締め付ける際に、締め付け力がテーパーにより分力化されて、スローアウェイチップをチップポケットの着座面およびチップ拘束面に確実に押し付け、拘束することが可能となる。
【００１２】
【発明の実施の形態】
以下、本発明の実施形態を添付図面により説明する。
【００１３】
図１から図３は、本発明の一実施形態を示すものであり、これらの図中、符号１はホルダ、５はチップポケット、３は載置面、７はスローアウェイチップ、６は固定用螺子、１１は保持ポケット、１２は雌螺子駒、１２ａは螺子孔を示す。
【００１４】
図１は、スローアウェイ式切削工具を示し、このスローアウェイ式切削工具はホルダ１の先端部位にチップポケット５が設けられている。このチップポケット５は、スローアウェイチップ７の着座面９を載置する載置面３と、互いに隣接する２個のチップ拘束面２、４とを備えている。また、前記ホルダ１は、前記載置面３の裏側となるホルダ側面１３から前記載置面３へ向けて貫通孔１４が設けられ、この貫通孔１４に固定用螺子６を挿入可能となっている。
【００１５】
固定用螺子６は、前記裏側のホルダ側面１３から前記載置面３に向けて貫通孔１４内に挿入され、この固定用螺子６の先端部位でもって前記スローアウェイチップ７を前記チップポケット５の載置面３に向けて引き込むようになっている。これにより、スローアウェイチップ７がホルダー１に固定される。
【００１６】
図２および図３は、スローアウェイチップ７を示す。このスローアウェイチップ７は、図２に示すチップ本体７ａと図３に示す雌螺子駒１２とからなる。前記チップ本体７ａは、その着座面９とすくい面８としての上面とに開口した保持ポケット１１が設けられている。この保持ポケット１１内に前記雌螺子駒１２を着脱自在に保持するようになっている。本実施形態において、保持ポケット１１は、着座面９から該着座面９に対して背の関係にある対向面１０に向かって開いた係合面２０を有している。この係合面２０により、前記雌螺子駒１２を保持することができるようになっている。この係合面２０は、Ｕ字状に形成されている。
【００１７】
前記雌螺子駒１２は、スローアウェイチップ７のすくい面８における保持ポケット１１の開口から、保持ポケット内に挿入することができる。また、前記雌螺子駒１２には、前記固定用螺子６の先端部位と螺着するための螺子孔１２ａがその厚み方向に設けられている。
【００１８】
ここで、前記雌螺子駒１２は、前記保持ポケット１１内で回動しない形状とすることが重要である。
【００１９】
前記チップ本体７ａは、通常のスローアウェイチップと同じように、超硬合金やセラミック或いはサーメットなどで構成することができる。他方、前記雌螺子駒１２は、螺子孔１２ａを形成することができるように、工具鋼で構成することができる。
【００２０】
図１を参照して、前記スローアウェイチップ７の着座面９を、ホルダ１のチップポケット５における載置面３に載置した状態で、前記固定用螺子６の先端部位と、前記雌螺子駒１２の螺子孔１２ａとを螺着することができ、固定用螺子６を締め付けていくにつれ、雌螺子駒１２とスローアウェイチップ７とが載置面３に向けて引き寄せられる。このとき、固定用螺子６は、ねじ部１６より大きな径のボルト頭部１７を有しており、空間１５の壁面１８に、ボルト頭部下面１９が接触した状態で置かれている。これにより、スローアウェイチップ７がホルダ１に強固に固定される。
【００２１】
このようなスローアウェイ式切削工具の構成によれば、固定用螺子６を取り外しすることなくチップ交換ができる。すなわち、スローアウェイチップ７をホルダ１から取り外すためには、固定用螺子６の先端部位を雌螺子駒１２の螺子孔１２ａから外すだけでよく、固定用螺子６を貫通孔１４から取り外す必要はない。
【００２２】
また、ホルダ１の上側に切屑の流れを阻害する部位を設けなくても良いので、切り屑の排出が円滑で、かつホルダ１が切り屑による損傷を受けることが少ない。したがって、部品交換を頻繁に行う必要がなく、経済的である。
【００２３】
さらに、スローアウェイチップ７の交換に際して、チップポケット５の裏側から固定用螺子６を締めたり、緩めたりすることができるので、櫛刃型刃物台を有する小型自動旋盤に取り付けて使用した場合でも作業性を損なうことがない。
【００２４】
また、前述のように、保持ポケット１１は、着座面９から該着座面９に対して背の関係にある対向面１０に向かって開いた係合面２０を備えていることにより、固定用螺子の先端部位と雌螺子駒の螺子孔とを締め付ける際に、締め付け力がテーパーにより分力化され着座面および拘束面に確実に押し付け、拘束することが可能となる。
【００２５】
次に図４は、本発明の別実施形態を示す。図４に示す、雌螺子駒１２は、略１／４円状となっている。このような雌螺子駒１２を用いた場合、固定用螺子６の先端部位と雌螺子駒１２の螺子孔１２ａとを締め付ける際に、テーパー状の係合面２０が１／４円弧状に設けられているために、スローアウェチップ７がホルダ１における２つのチップ拘束面２、４に向かって移動する（図１参照）。したがって、スローアウェイチップ７の強固な固定が可能となる。このように、テーパー状の係合面が前述のようにチップ拘束面方向２、４の側の部位のみに設けられた場合、スローアウェイチップがホルダにおける２つのチップ拘束面２、４に向かって押し付けられ、スローアウェイチップのより強固な固定が可能となる。
【００２６】
次に図５は、本発明の別実施形態を示す。図５に示す雌螺子駒１２は、前記チップ本体７ａの前記着座面９に対する突出部１２ｂを設けたものである。かかる構成によれば、固定用螺子６の先端部位と雌螺子駒１２の螺子孔１２ａの螺着長さを長くとることができるので、スローアウェイチップ７の強固な固定が可能であり、加えて、突出部１２ｂがスローアウェイチップ７のビビリ防止に役立つ。
【００２７】
以上、本発明の実施形態を例示したが、本発明はこれら実施形態に限定されるものでないことは云うまでもない。本発明は、発明の目的を逸脱しない限り任意の形態とすることができる。
【００２８】
【発明の効果】
以上のように、本発明のスローアウェイ式切削工具によれば、ホルダの先端に設けたチップポケットの載置面に、螺子孔を備えた雌螺子駒を設けた着座面を有するスローアウェイチップを載置するとともに、前記チップポケットの載置面に対する裏側の表面から前記載置面へ向けて設けた固定用螺子の先端部位を、前記雌螺子駒の螺子孔に螺着せしめて、前記ホルダに前記スローアウェイチップを固定できるようにしたことから、固定用螺子を取り外しすることなくチップ交換ができる。また、ホルダの上側に切屑の流れを阻害する部位を設けなくても良いので、切り屑の排出が円滑で、かつホルダが切り屑による損傷を受けることが少ない。したがって、部品交換を頻繁に行う必要がなく、経済的である。さらに、スローアウェイチップの交換に際して、チップポケットの裏側から固定用螺子を締めたり、緩めたりすることができるので、櫛刃型刃物台を有する小型自動旋盤に取り付けて使用した場合でも作業性を損なうことがない。
【００２９】
また、前記スローアウェイチップは、前記雌螺子駒を着脱自在に装着するための保持ポケットを備えるとともに、該保持ポケットに、前記着座面から離れる方向に開いた形状をなし、かつ前記雌螺子駒を保持するための係合面を設けた場合、固定用螺子の先端部位と雌螺子駒の螺子孔とを締め付ける際に、締め付け力がテーパーにより分力化されて、スローアウェイチップをチップポケットの着座面およびチップ拘束面に確実に押し付け、拘束することが可能となる。
【図面の簡単な説明】
【図１】（ａ）（ｂ）は、本実施形態によるスローアウェイ式切削工具のそれぞれ上面図、正面図であり、（ｃ）は（ａ）のＡ−Ａ線断面図である。
【図２】（ａ）（ｂ）（ｃ）（ｄ）は、図１のスローアウェイ式切削工具を構成するスローアウェイチップのチップ本体を示し、それぞれ上面図、正面図、左側面図、裏面図である。
【図３】（ａ）（ｂ）は、図２のスローアウェイチップを構成する雌螺子駒のそれぞれ正面図、左側面図である。
【図４】（ａ）（ｂ）は、別実施形態における雌螺子駒のそれぞれ正面図、左側面図である。
【図５】別実施形態における雌螺子駒の上面図である。
【図６】従来のスローアウェイ式切削工具の斜視図である。
【図７】従来の別のスローアウェイ式切削工具の斜視図である。
【符号の説明】
１：ホルダ
２，４：チップ拘束面
３：載置面
５：チップポケット
６：固定用螺子
７：スローアウェイチップ
７ａ：チップ本体
８：すくい面
９：着座面
１０：対向面
１１：保持ポケット
１２：雌螺子駒
１２ａ：螺子孔
１２ｂ：突出部
１３：ホルダ側面
１４：貫通孔
１５：空間
１６：ねじ部
１７：ボルト頭部
１８：ザグリ底面
１９：ボルト頭部下面
２０：係合面
【図１】
2004255510.tif 000003
【図２】
2004255510.tif 000004
【図３】
2004255510.tif 000005
【図４】
2004255510.tif 000006
【図５】
2004255510.tif 000007
【図６】
2004255510.tif 000008
【図７】
2004255510.tif 000009